(57)【要約】【課題】インキ収容体の内面に対する移動弁部材の摺動を滑らかなものにすると共に、インキ収容体の内面に塗布するグリス量が少なくてもよい構造のインキ吸入式万年筆の移動弁部材を得る。【解決手段】インキ吸入式万年筆１に設けたインキ収容体６の外部へ露出させた操作部９を操作することにより、インキ収容体６の内部にインキを吸入させるインキ吸入式万年筆１の移動弁部材７であって、移動弁部材７の外側面におけるインキ収容体６の内面に密着状態で接する箇所に鍔部７ｂを形成し、鍔部７ｂの表面にインキ収容体６の内面に塗布したグリスが付着する凹部７ｇとインキ収容体６の内面に当接する凸部７ｆを有する凹凸部７ｅを形成した。【選択図】図５
2011161873.tif 000002
【特許請求の範囲】
【請求項１】
インキ吸入式万年筆に設けたインキ収容体の外部へ露出させた操作部を操作することにより、前記インキ収容体の内部にインキを吸入させるインキ吸入式万年筆の移動弁部材であって、前記移動弁部材の外側面における前記インキ収容体の内面に密着状態で接する箇所に鍔部を形成し、当該鍔部の表面にインキ収容体の内面に塗布したグリスが付着する凹部とインキ収容体の内面に当接する凸部を有する凹凸部を形成したことを特徴とするインキ吸入式万年筆の移動弁部材。
【請求項２】
前記インキ収容体が外部から内部が見える透明体であることを特徴とする請求項１に記載のインキ吸入式万年筆の移動弁部材。
【発明の詳細な説明】
【技術分野】
【０００１】
本発明は、インキ収容体の内部に配した移動弁部材を前後動させることにより、インキ収容体内にインキを吸入する構造の万年筆におけるインキ吸入式万年筆の移動弁部材である。
【背景技術】
【０００２】
従来より、インキ収容体にインキを吸入する手段として、例えば特開２００２−３３１７９０号公報に開示されているように、軸筒に設けた操作部材を回転操作や前後動させることにより、インキ収容体の内部に配設した移動弁部材を前後動させインキの吸入を行う構造のインキ吸入式万年筆は多く利用されている。このようなインキ吸入式の万年筆では、特開２００２−３３１７９０号公報にも記載されているように、一般的に、移動弁部材の外側面に鍔部を設けることで移動弁部材の変形を行いやすくし、インキ収容体の内面と移動弁部材との密着状態を高める構造とすることが多い。
【０００３】
また前述の移動弁部材は、インキ収容体の内面に摺動させることでインキを吸入することから、インキ吸入時の操作性を滑らかにするためにインキ収容体の内面にグリスを多めに塗布することが間々あり、インキ収容体の内面に塗布したグリスがペン芯側に移動してつまらせインキの流出不良を生じさせたり、インキ収容体を外部から内部が見える透明体とした場合には、移動弁部材の摺動によってインキ収容体の内部に溜まったグリスが見えて見栄えを悪くするという問題があった。
また、インキ収容体の内面に当接させる移動弁部材の突部を小さくすることにより摩擦抵抗を軽減させることはできるものの、移動弁部材を速く動かした場合や、インキ収容体の内面に微小な凹凸があった場合にも、移動弁部材とインキ収容体の内面との密着状態が低くなってインキの吸入不良を起こす虞があった。
【先行技術文献】
【特許文献】
【０００４】
【特許文献１】特開２００２−３３１７９０号公報
【発明の概要】
【発明が解決しようとする課題】
【０００５】
本発明はこうした問題点を解消するために、インキ収容体の内面に対する移動弁部材の摺動を滑らかなものにすると共に、インキ収容体の内面に塗布するグリス量が少なくてもよい構造のインキ吸入式万年筆の移動弁部材を得ることを目的とした。
【課題を解決するための手段】
【０００６】
本発明は、
「１．インキ吸入式万年筆が有するインキ収容体の外部に露出させた操作部を操作することにより、前記インキ収容体の内部にインキを吸入させるインキ吸入式万年筆の移動弁部材であって、前記移動弁部材の外側面に鍔部を形成し、当該鍔部の表面に、インキ収容体の内面に潰れて当接する凸部とインキ収容体の内面に塗布したグリスが付着する凹部とを有する凹凸部を形成したことを特徴とするインキ吸入式万年筆の移動弁部材。
２．前記インキ吸入式万年筆の一部を透明体とすることで、前記インキ収容体の内部を視認できる構造としたことを特徴とする１項に記載のインキ吸入式万年筆の移動弁部材。」である。
【０００７】
本発明における移動弁部材の鍔部の表面に形成する凹凸部は、梨地やローレット目などの細かい凹凸の状態のものである。
【発明の効果】
【０００８】
本発明の万年筆のインキ吸入式万年筆の移動弁部材は、インキ収容体の内面に当接する鍔部の表面に、インキ収容体の内面に塗布したグリスが付着する凹部とインキ収容体の内面に潰れて当接する凸部を有する凹凸部を形成してあるので、凹凸部の凸部が潰れて当接することでインキ収容体の内面との密着状態を強くしつつ、凹凸部の凹部にインキ収容体の内面に塗布したグリスが付着することでインキ収容体の内面に対する移動弁部材の摺動が滑らかになるので、インキ収容体の内面に塗布するグリスは少なくでき、グリスがペン芯側に移動することによるインキの流出不良を生じさせることなく、またインキ収容体が外部から視認できる透明構造とした場合においても、グリスの存在を目立たないものとすることができる。
【図面の簡単な説明】
【０００９】
【図１】本実施例の移動弁部材を用いたインキ吸入式万年筆の断面図である。
【図２】胴部を外してインキ吸入機構を露出させた状態の図である。
【図３】図２のＫ−Ｋ線断面図である。
【図４】本実施例の移動弁部材の要部を拡大した断面図である。
【図５】本実施例の移動弁部材とインキ収容体の当接状態を示す図である。
【発明を実施するための形態】
【００１０】
次に、図面を参照しながら説明を行うが、本発明は以下の実施例に限定されるものではない。また図中の同じ部材、同じ部品については、同じ符号としてある。
【００１１】
図１に示すように本実施例の万年筆１は、軸筒２の前方にペン芯２０を具備したペン先２１を配設してある。また、軸筒２は、首部３，胴部４，尾冠４０から構成されており、尾冠４０は胴部４に圧入嵌合して一体とし、首部３と胴部４は、双方に設けた螺子部(図示せず)により着脱可能に螺子嵌合してある。尚、軸筒２の内部には、インキ吸入機構５を設けてある。
【００１２】
また、図２にて詳細を示してあるように、インキ吸入機構５は、首部３に挿着した筒状のインキ収容体６の内部を前後動可能とする移動弁部材７を配してあり、移動弁部材７に形成した孔部７ａに押棒８の先端部８ａを圧入して一体としてある。また、操作部材９の外側に形成した大径部９ａの後端部をインキ収容体６の後部に圧嵌した連結筒１０の内向きの鍔部１０ａに当接させ、操作部材９の前端部を連結筒１０の内部に圧入および接着して固着させた回転規制部材１１へ当接させることにより、インキ収容体６に対して操作部材９が前後に動かない状態で回転可能に配設してある。また押棒８は、操作部材９の回転に伴って回転しないように、図３に示すように、回転規制部材１１に穿孔した長方形形状の貫通孔１１ａに対して、外形が長方形形状である押棒８を挿通させて回転を規制してある。
【００１３】
本実施例では、操作部材９の内面に雌螺子部９ｂを形成し、押棒８の外面に雄螺子部８ｂを形成し、操作部材９を回転操作することによって、図２に示すように移動弁部材７が前後動するようにしてあり、またインキ収容体６の内面６ｂに複数の突起６ｂを間隔を設けて形成することで、移動弁部材７の前進を突起６ｂにて制止させる構造としてある。したがって、図２に示すように、操作部材９を回転操作することで突起６ｂの位置まで前進した移動弁部材７を、操作部材９を逆回転して後退させることにとり、インキ収容体６の内部に負圧を発生させ、インキ瓶（図示せず）にペン先２１側を入れて、インキ（図示せず）をペン芯２０を経由してインキ収容体６の内部に吸入できる構造としてある。
【００１４】
次に、図４，図５を用いて本実施例の移動弁部材について詳述を行う。図４に示すように移動弁部材７の外側面には、前方鍔部７ｂと後方鍔部７ｃとを円環状に形成してあり、前方鍔部７ｂおよび後方鍔部７ｃの表面には波状の凹凸部７ｄ，７ｅをそれぞれ形成してある。次に図を用いて前方鍔部７ｂとインキ収容体６の内面との当接状態について詳述を行うと、図５に示すように前方鍔部７ｂの凹凸部７ｄは、インキ収容体６の内面６ａ側に突設させた凸部７ｆおよび内面６ａの反対側に没入した凹部７ｇとで構成してあり、前方鍔部７ｂがインキ収容体６の内面６ａに当接することで、凹凸部７ｂの凸部７ｆが潰れて密着状態を高めている。また凹凸部７ｂの凹部７ｇには、インキ収容体６の内面６ａに薄く塗布したグリス１２が付着した状態となり、インキ収容体６の内面６ａに対する移動弁部材７の摺動性を高めている。尚、図示しないが、図４に示した後方鍔部７ｃも、前述した前方鍔部７ｂと同様に作用する。
【００１５】
また、図１に示した本実施例の万年筆１は、首部３と胴部４とインキ収容体６とが透明樹脂からなり、内部が見える構造であるが、インキ収容体６の内面６ａに塗布するグリス（図示せず）は少量とすることができるので、グリスがペン芯側３０に移動することによるインキの流出不良が生じることなく、外部から視認した場合もグリスの存在が目立つことがないものとなった。
【産業上の利用可能性】
【００１６】
本発明の構造は、万年筆以外のマーキングペンや水性ボールペンなどの筆記具に採用することも可能である。
【符号の説明】
【００１７】
１…万年筆、２…軸筒、２０…ペン芯、２１…ペン先、
３…首部、４…胴部、４０…尾冠、
５…インキ吸入機構、
６…インキ収容体、６ａ…内面、６ｂ…突起、
７…移動弁部材、７ａ…孔部、
７ｂ…前方鍔部、７ｃ…後方鍔部、７ｄ…凹凸部、
７ｅ…凹凸部、７ｆ…凸部、７ｇ…凹部、
８…押棒、８ａ…先端部、８ｂ…雄螺子部、
９…操作部材、９ａ…大径部、９ｂ…雌螺子部、
１０…連結筒、１０ａ…鍔部、
１１…回転規制部材、１１ａ…貫通孔、
１２…グリス。
【図１】
2011161873.tif 000003
【図２】
2011161873.tif 000004
【図３】
2011161873.tif 000005
【図４】
2011161873.tif 000006
【図５】
2011161873.tif 000007